(57)【要約】【課題】  リモコンコードを予め設定しなくても、携帯情報端末の赤外線通信機能でデータ送受信装置を操作できるようにする。【解決手段】  ネットワーク１００を介して携帯情報端末１０１からコンテンツリスト要求を受信すると、データ送受信装置１０２はリストを送信する。携帯情報端末１０１は、ユーザの選択したコンテンツを装置１０２に通知する。装置１０２は、選択されたコンテンツを復号し、携帯情報端末１０１での表示用に再符号化する。コード作成部１１０が、再生位置情報を含むリモコンコードの組み合わせデータを作成する。再符号化されたコンテンツデータとリモコンコードの組み合わせデータが、多重化され、ネットワーク１００を介して携帯情報端末１０１に送信される。【選択図】  図１
2005176218.tif 000002
【特許請求の範囲】
【請求項１】
記憶媒体から複数の情報データを再生する再生手段と、
前記複数の情報データのうち選択された情報データを再生するよう前記再生手段を制御する制御手段と、
前記選択された情報データと前記選択された情報データの再生を指示するための制御コマンドを示すコマンド情報とを外部装置に送信する送信手段と、
を備えることを特徴とするデータ送受信装置。
【請求項２】
更に、
前記選択された情報データと前記コマンド情報を多重化する多重化手段と、
前記多重化により作成された第二の情報データを外部装置に送信する送信手段と、
を備えることを特徴とする請求項１に記載のデータ送受信装置。
【請求項３】
前記コマンド情報はリモコンコードであり、
更に、データ送受信装置の持つ機能を制御する複数のリモコンコードを組み合わせた第二のコマンド情報を作成するコード作成手段を備えることを特徴とする請求項１又は２に記載のデータ送受信装置。
【請求項４】
更に、
前記第二のコマンド情報を前記第二のコマンド情報と異なる第三のコマンド情報を割り当てて管理するコード管理手段と、
前記第三のコマンド情報から前記第二のコマンド情報を解析する解析手段と、
前記解析手段の結果に基づいて前記再生手段を制御する制御手段と、
を備えることを特徴とする請求項１〜３の何れか１項に記載のデータ送受信装置。
【請求項５】
前記コマンド情報は、リモコンコード以外の情報をヘッダ情報に持つシンタックス構造であり、
更に、前記ヘッダ情報に外部装置との通信に使用する周波数情報を含むコマンド情報を作成する作成手段を備えることを特徴とする請求項１〜４の何れか１項に記載のデータ送受信装置。
【請求項６】
データ送受信装置、及び前記データ送受信装置とデータを送受信する携帯情報端末とを具備するデータ送受信システムであって、
前記データ送受信装置が、
記憶媒体から複数の情報データを再生する再生手段と、
前記複数の情報データのうち選択された情報データを再生するよう前記再生手段を制御する制御手段と、
前記選択された情報データと前記選択された情報データの再生を指示するための制御コマンドを示すコマンド情報とを前記携帯情報端末に送信する送信手段と
前記携帯情報端末から送信された前記コマンド情報を受信する受信手段と、
前記複数の情報データのうち前記コマンド情報により選択された情報データを再生するよう制御する制御手段
とを具備し、
前記携帯情報端末が、
前記記憶媒体の情報データの送信を要求する要求手段と、
前記要求により前記データ送受信装置より送信された情報データを受信する受信手段と、
前記情報データからコマンド情報を分離する分離手段と、
前記コマンド情報を蓄積する蓄積手段と、
前記コマンド情報を前記データ送受信装置に送信する送信手段と、
を具備することを特徴とするデータ送受信システム。
【請求項７】
前記データ送受信装置が更に、
前記選択された情報データと前記コマンド情報とを多重化する多重化手段と、
前記多重化により作成された第二の情報データを外部装置に送信する送信手段と、
を備えることを特徴とする請求項６に記載のデータ送受信システム。
【請求項８】
前記コマンド情報はリモコンコードであり、
前記データ送受信装置が更に、データ送受信装置の持つ機能を制御する複数のリモコンコードを組み合わせた第二のコマンド情報を作成するコード作成手段を具備することを特徴とする請求項７に記載のデータ送受信システム。
【請求項９】
前記データ送受信装置が更に、
前記第二のコマンド情報を前記第二のコマンド情報と異なる第三のコマンド情報を割り当てて管理するコード管理手段と、
前記第三のコマンド情報から前記第二のコマンド情報を解析する解析手段と、
前記解析手段の結果に基づいて前記再生手段を制御する制御手段と、
を具備することを特徴とする請求項６〜８の何れか１項に記載のデータ送受信システム。
【請求項１０】
前記データ送受信装置により作成される前記コマンド情報は、リモコンコード以外の情報をヘッダ情報に持つシンタックス構造であり、
前記データ送受信装置は更に、前記ヘッダ情報に前記携帯情報端末との通信に使用する周波数情報を含むコマンド情報を作成する作成手段を備え、
前記携帯情報端末は更に、
前記周波数情報を含むコマンド情報から周波数情報を解析する解析手段と、
前記周波数情報に基づいて前記データ送受信装置と赤外線通信する通信手段と、
を具備することを特徴とする請求項６〜９の何れか１項に記載のデータ送受信システム。
【請求項１１】
前記携帯情報端末は、前記データ送受信装置と相互のデータ送受に無線通信する通信手段を備えることを特徴とする請求項６〜１０の何れか１項に記載のデータ送受信システム。
【発明の詳細な説明】
【技術分野】
【０００１】
本発明はデジタルテレビ受信装置及びデータ送受信システムに関し、特に、デジタルテレビ受信装置により送信される蓄積コンテンツを携帯情報端末で受信、再生及び制御する場合の処理に関する。
【背景技術】
【０００２】
携帯情報端末を用いて外出先から自宅のデジタルテレビ受信装置を操作することは、広く行われている。例えば、携帯情報端末向けのＷＥＢサービス又はその他の方法でＥＰＧ（Ｅｒｅｃｔｒｏｎｉｃ  Ｐｒｏｇｒａｍ  Ｇｕｉｄｅ）情報を取得し、そのＥＰＧ情報に基づいて所望の番組の視聴予約を行ったり、録画予約を行ったりしている。また、携帯情報端末から自宅のデジタルテレビ受信装置にアクセスすることによって、デジタルテレビ受信装置に蓄積してあるコンテンツを携帯情報端末で受信・再生することも行われている。
【０００３】
このような状況下にあって、外出時に携帯情報端末からデジタルテレビ受信装置にアクセスし、蓄積コンテンツを視聴しているときに、再生を中断せざるを得ない場合がある。
【０００４】
このような場合、外出先から帰宅して同一コンテンツを視聴するには、デジタルテレビ受信装置のリモコンを使用してテレビ受信装置の電源をオンにした後、表示画面の切り替えを行い、コンテンツを探して再生するという操作が必要である。
【０００５】
図２〜図１０を参照して、具体的に説明すると、まず、ユーザは、図２に図示のデジタルテレビ受信装置のリモコンを使用し、電源ボタン２０１を押下後（Ｓ４０１）、テレビの起動を待ってから（Ｓ４０２）、メニューボタン２０２を押下操作し（Ｓ４０３）、メインメニューの画面（図３）を表示する（Ｓ４０４）。
【０００６】
次に、ユーザは、リモコンキーの十字ボタン２０３を操作してメニュー画面（図３）上のカーソルキー３０１を移動し（Ｓ４０５）、決定キー２０４により「蓄積コンテンツ」を選択し（Ｓ４０６）、蓄積コンテンツメニュー画面（図４）を表示する（Ｓ４０７）。
【０００７】
ユーザは、十字ボタン２０３を操作して蓄積コンテンツメニュー画面（図４）上のカーソルキーを上下に移動し（Ｓ４０８）、前述と同様に決定キー２０４を操作して、所望のコンテンツを選択する（Ｓ４０９）。選択した番組の操作メニュー画面（図５）上のカーソルキーを移動し（Ｓ４１１）、決定キー２０４を操作して「途中再生」を選択し、図６に示す頭出し方法選択画面上で頭出しの方法を選択する（Ｓ４１２）。
【０００８】
頭出し方法選択画面（図６）上で時間情報による再生を選択すると（Ｓ４１５）、時間入力画面（図７）が表示される（Ｓ４１６）。ユーザは、数字キー２０５を用いて時間情報を入力し（Ｓ４１７）、再生を要求する（Ｓ４１８）。
【０００９】
頭出し方法選択画面（図６）上でチャプターによる再生を選択すると（Ｓ４１５'）、チャプター情報画面（図８）が表示される（Ｓ４１６'）。ユーザは、十字ボタン２０３を操作して（Ｓ４１７'）、希望のチャプターを選択する（Ｓ４１８'）。
【００１０】
以上の操作により、デジタルテレビ受信装置は、指定された蓄積コンテンツの頭出しを行い再生を開始する（Ｓ４１９）。
【特許文献１】特開２００１−２５１４４９号公報
【発明の開示】
【発明が解決しようとする課題】
【００１１】
従来例では、外出時に携帯情報端末からデジタルテレビ受信装置にアクセスし、蓄積コンテンツの視聴を中断した状況では、帰宅後、同一コンテンツの中断位置から再生操作するには、デジタルテレビ受信装置のリモコン操作を行い「メニュー表示」、「コンテンツ選択」及び「再生位置選択」等、多くのキー操作が必要である。
【００１２】
また、視聴を中断していた番組を再生するには、視聴していたコンテンツ名とどこまで視聴していたかを覚えておく必要もある。しかし、蓄積コンテンツ数が多い場合には、探すのも煩わしく、似たような名前の番組があると、どのコンテンツであったか分からなくなることがある。
【００１３】
番組名を覚えていても、シリーズ物のコンテンツの場合には、どの話数であったか分からなくなることもある。
【００１４】
どこの位置まで視聴していたかという時間情報又はチャプター情報を覚えていたつもりでも、しばらく時間が経過すると、忘れてしまうこともある。
【００１５】
本発明の目的は、携帯情報端末から直接、デジタルテレビ受信装置を操作可能とし、外出先で視聴していた番組の続きを簡単な操作で再生可能とするデータ送受信装置及びデータ送受信システムを提示することにある。
【課題を解決するための手段】
【００１６】
本発明に係るデータ送受信装置は、記憶媒体から複数の情報データを再生する再生手段と、前記複数の情報データのうち選択された情報データを再生するよう前記再生手段を制御する制御手段と、前記選択された情報データと前記選択された情報データの再生を指示するための制御コマンドを示すコマンド情報とを外部装置に送信する送信手段と、を備えることを特徴とする。
【００１７】
本発明に係るデータ送受信システムは、データ送受信装置、及び前記データ送受信装置とデータを送受信する携帯情報端末とを具備するデータ送受信システムであって、前記データ送受信装置が、記憶媒体から複数の情報データを再生する再生手段と、前記複数の情報データのうち選択された情報データを再生するよう前記再生手段を制御する制御手段と、前記選択された情報データと前記選択された情報データの再生を指示するための制御コマンドを示すコマンド情報とを前記携帯情報端末に送信する送信手段と、前記携帯情報端末から送信された前記コマンド情報を受信する受信手段と、前記複数の情報データのうち前記コマンド情報により選択された情報データを再生するよう制御する制御手段とを具備し、前記携帯情報端末が、前記記憶媒体の情報データの送信を要求する要求手段と、前記要求により前記データ送受信装置より送信された情報データを受信する受信手段と、前記情報データからコマンド情報を分離する分離手段と、前記コマンド情報を蓄積する蓄積手段と、前記コマンド情報を前記データ送受信装置に送信する送信手段と、を具備することを特徴とする。
【発明の効果】
【００１８】
本発明によれば、携帯情報端末から直接データ送受信装置の操作が可能となる。リモコンコードはデータ送受信装置側で作成、多重されるため、携帯情報端末側では操作対象となるデータ送受信装置のリモコンコードを予め登録する必要がない。
また、リモコンコードには視聴を中断した時点の位置情報が含まれるため、番組コンテンツだけでなく、視聴を中断していた位置から再生を指示することができる。
また、多重されるリモコンコードは複数のリモコンコードの組み合わせから成るため、ユーザによる一度の指示で、例えば「電源オン」→「メニュー表示」→「コンテンツリスト表示」→「コンテンツ選択」→「決定」→「中断した位置の頭出し」→「再生操作」と言った複数の動作設定が可能である。
以上より、本発明に拠れば携帯情報端末から直接デジタルテレビ受信装置を操作可能とし、外出先で視聴していた番組の続きを簡単な方法で再生可能とする効果がある。
【発明を実施するための最良の形態】
【００１９】
以下、図面を参照して、本発明の実施例を詳細に説明する。
【実施例１】
【００２０】
図１は、本発明の一実施例であるデータ処理システムの概略構成図を示す。携帯情報端末１０１はネットワーク１００を介してデータ送受信装置１０２に接続する。
【００２１】
データ送受信装置１０２の制御部１０３はＣＰＵの機能を備えており、後述する受信部１０４、分離部１０５、復号処理部１０８、蓄積部１０９、コード作成部１１０、符号化処理部１１１、通信部１１２、受光部１１３、映像制御部１１４及び音声制御部１１５を統合的に制御する。制御部１０３はメモリを有しており、そのメモリ内に格納されているプログラムに従って動作する。さらに、制御部１０３は、受光部１１３により受信したリモコンコードに従い、上述の各構成要素を制御する。
【００２２】
受信部１０４は、不図示のアンテナから入力される信号を復号し、誤り訂正等の処理を施し、トランスポートストリーム（ＴＳ）と呼ばれる形式のデジタルデータを生成する。更に、生成されたＴＳは、分離部１０５に入力する。ＴＳデータは、複数チャンネル分の映像データ、音声データ及びデータ放送データ等を時分割多重した信号からなる。
【００２３】
分離部１０５は、受信部１０４からのＴＳデータの中から、不図示の操作部又はリモコンの操作により選択されたチャンネルの映像、音声及びデータ放送データを抽出し、それぞれを分離出力する。
【００２４】
復号処理部１０８は、映像デコーダ１０６と音声デコーダ１０７からなる。復号処理部１０８は、分離部１０５で分離された映像データと音声データを別々に復号し、映像信号を映像制御部１１４に、音声信号を音声制御部１１５に供給する。
【００２５】
蓄積部１０９は、分離部１０５より取り出されたＴＳデータをＴＳデータ形式のまま、蓄積保存する。
【００２６】
コード作成部１１０は、蓄積コンテンツを再生するまでのリモコンコードの組み合わせデータを作成する機能を具備する。リモコンコードの組み合わせデータとは、例えばコンテンツ再生までの手順において、「電源オン」→「コンテンツリスト表示」→「コンテンツ選択」→「再生要求」という操作が必要であれば、一連の操作手順にリモコンコードを対応させ、連続する形式でリモコンコードを組み合わせることを意味する。詳細は、後述する。コード作成部１１０はメモリを具備し、そのメモリ内には、メーカ毎に定められているフォーマットメーカ、デジタルテレビ受信装置の機種コードであるカスタムコード、及び電源オン／オフなどの操作情報であるデータコードが格納されている。
【００２７】
符号化処理部１１１は、符号化装置（図１４の８０１）と多重化装置（図１４の８０２）を具備し、蓄積部１０９に蓄積されるコンテンツを携帯情報端末１０１で再生可能なデータに変換する機能（符号化）を備える。また、符号化の際には、携帯情報端末１０１の通信速度とハードウェアリソース等を考慮し、最も適した符号化方式により再符号化する機能を備える。具体的には、ＭＰＥＧ（Ｍｏｖｉｎｇ  Ｐｉｃｔｕｒｅ  Ｅｘｐｅｒｔｓ  Ｇｒｏｕｐ）２又はＭＰＥＧ４などの所定の符号化方式に従い、通信速度の状況に応じて圧縮率又はビットレートを変化させる。さらに後ほど詳述するが、本実施例の特徴として、符号化処理部１１１は、蓄積コンテンツとコード作成部１１０により作成されたリモコンコードとの組み合わせデータを多重化処理して出力する機能を備える。
【００２８】
通信部１１２は、所定の通信プロトコルに従ってデータ送受信装置１０２とネットワーク１００との間のデータの送受信を制御する。通信プロトコルとして、例えばＴＣＰ／ＩＰ（Ｔｒａｎｓｐｏｒｔ  Ｃｏｎｔｏｒｏｌ  Ｐｒｏｔｏｃｏｌ／Ｉｎｔｅｒｔｎｅｔ  Ｐｒｏｔｏｃｏｌ）を使用し、ＩＰの上位層プロトコルには、処理が軽いＵＤＰ（Ｕｓｅｒ  Ｄａｔａｇｒａｍ  Ｐｒｏｔｏｃｏｌ）を使用し、ＵＤＰの上位層では、リアルタイム通信に使用するＲＴＰ（ＲｅａｌＴｉｍｅ  Ｔｒａｎｓｐｏｒｔ  Ｐｒｏｔｏｃｏｌ）等、動画配信に適したプロトコルを使用する。
【００２９】
受光部１１３は、不図示のリモコンから送信される赤外信号を受信／デコードし、ユーザがリモコンで操作したボタンのコードを制御部１０３に出力する。
【００３０】
映像制御部１１４は、映像デコーダ１０６によりデコードされた画像データと、データ放送データ等の画像データとの切り替え及び合成等の表示制御を行い、モニタ等の画像出力部１１６に出力する。
【００３１】
音声制御部１１５は、音声デコーダ１０７によりデコードされた音声データをスピーカ等の音声出力部１１７に出力する。
【００３２】
次に、携帯情報端末１０１を説明する。携帯情報端末１０１として、携帯電話及びＰＤＡ（Ｐｅｒｓｏｎａｌ  Ｄｉｇｉｔａｌ  Ａｓｓｉｓｔａｎｃｅ）等を利用可能である。本実施例では、図１１に外観を有する携帯電話を携帯情報端末１０１として使用する。
【００３３】
電源キー５０１は、電源の操作ボタンであり、電源のオン／オフを操作する際に使用する。
【００３４】
メニューボタン５０２は、携帯情報端末１０１の機能メニューを表示部５０６に表示する際に使用され、アイコン、サムネイル、テキスト情報などのメニュー画面を表示する際に使用される。
【００３５】
十字キー５０３は、メニュー画面上で、例えばメニューリスト画面を表示中にキーを上下左右に操作することにより、選択候補表示を移動させてリスト項目を選択し、押圧操作することにより項目の決定を行うのに利用される。
【００３６】
操作キー５０４は、通常の電話操作に加え、前述のメニューリスト画面上でメニューを選択する際に使用する等、各種指示の入力に使用される。
【００３７】
アンテナ５０５は、ネットワーク１００からデータを送受信する際に使用され、受信したデータを制御部６０１に出力する。
【００３８】
スピーカ５０７は、受信したデータの音声を出力する際に使用される。
【００３９】
赤外線通信部５０８は、ＵＡＲＴ（Ｕｎｉｖｅｒｓａｌ  Ａｓｙｎｃｒｏｎｏｕｓ  Ｒｅｃｅｉｖｅｒ−Ｔｒａｎｓｍｉｔｔｅｒ）により、制御部６０１の出力データを赤外線を媒体として送信すると共に、他の機器から送信された赤外線を媒体とするデータを受信して、制御部６０１に入力する。
【００４０】
図１２は、携帯情報端末１０１の概略構成ブロック図を示す。電源回路部６００は、ユーザ操作により電源キーがオンの状態にされると、不図示のバッテリパックから各構成要素に電力を供給する。これにより、携帯情報端末１０１は動作可能な状態になる。
【００４１】
制御部６０１はＣＰＵの機能を備えており、各構成要素を統合的に制御する。また、制御部６０１はメモリを有しており、メモリに格納されているプログラムに従って動作する。
【００４２】
受信部６０３は、操作制御部６０２から入力される操作に従い、不図示のネットワーク中継局とアンテナ５０５の間で電波を送受信し、受信信号を制御部６０１に出力する。
【００４３】
復号処理部６０４は、受信部６０３により受信したデータから、映像データ、音声データ及びリモコンコードデータをそれぞれ分離し、映像データと音声データをＭＰＥＧ２及びＭＰＥＧ４等の所定の符号化方式に対応した復号化方式で復号すると共に、リモコンコードデータを記憶部６０５に格納する。
【００４４】
画像制御部６０６は、制御部６０１から入力する映像データを表示部５０６に表示する。音声制御部６０７は、制御部６０１から入力する音声データをスピーカ５０７に出力する。
【００４５】
図１３乃至図１６を参照して、本実施例におけるデータ送受信システムの動作を説明する。
【００４６】
図１３は、データ送受信装置１０２に蓄積してあるコンテンツをネットワーク１００を介して携帯情報端末１０１で視聴し、中断するまでの動作の手順を示す。
【００４７】
まず、ユーザは、携帯情報端末１０１からデータ送受信装置１０２に対して、データ送受信装置１０２に蓄積してあるコンテンツのリスト情報をネットワーク１００を介して要求する（Ｓ７０１）。データ送受信装置１０２は、この要求を受け付けると（Ｓ７０２）、要求に従い、蓄積しているコンテンツのリスト情報を作成し、携帯情報端末１０１に送信する（Ｓ７０３）。
【００４８】
携帯情報端末１０１は、コンテンツリスト情報を受信すると（Ｓ７０４）、コンテンツリスト情報を解析し、その内容を表示部５０６に表示する。ユーザは、表示部５０６に表示されたコンテンツリストから十字キー５０３を使用して希望のコンテンツを選択する（Ｓ７０５）。ユーザによりコンテンツが決定されると、携帯情報端末１０１からデータ送受信装置１０２にコンテンツの送信要求が出される（Ｓ７０６）。コンテンツ送信要求は、コンテンツを特定する情報の他に、携帯情報端末１０１の通信方法及びハードウェアリソース情報からなる付加情報を含む。これらの付加情報により、データ送受信装置１０２は、携帯情報端末１０１に送信する際の符号化方式等を決定する。
【００４９】
データ送受信装置１０２は、コンテンツ送信要求を受信すると（Ｓ７０７）、指定された蓄積コンテンツを選択し（Ｓ７０８）、復号処理を開始する（Ｓ７０９）。続けて、コード作成部１１０が、現在再生中の位置情報を含むリモコンコードの組み合わせデータを作成し（Ｓ７１０）、符号化処理を行う（Ｓ７１１）。この符号化処理では、復号処理された蓄積コンテンツデータをコンテンツの要求を行った携帯情報端末１０１に適した符号化方式で再符号化する。リモコンコードの組み合わせデータに符号化処理を施すことも可能である。リモコンコードの組み合わせデータと再符号化した蓄積コンテンツデータを多重化し（Ｓ７１２）、ネットワーク１００を介して携帯情報端末１０１に送信する（Ｓ７１３）。
【００５０】
図１４は、符号化処理部１１１の概略構成ブロック図を示す。符号化処理部１１１による符号化処理を説明する。
【００５１】
符号化処理部１１１は、符号化装置８０１と多重化装置８０２とからなる。により構成されている。符号化装置８０１は、ビデオ信号を符号化するビデオ符号器８０３と、オーディオ信号を符号化するオーディオ符号器８０４と、リモコンコードの組み合わせデータを符号化するコード符号器８０５とからなる。多重化装置８０２は、ビデオ符号器８０３の出力に接続するバッファメモリ８０６と、オーディオ符号器８０４の出力に接続するバッファメモリ８０７と、コード符号器８０５の出力に接続するバッファメモリ８０８と、バッファメモリ８０６，８０７，８０８の出力データを多重化する多重化部８０９とからなる。
【００５２】
コンテンツのビデオ信号がビデオ符号器８０３に入力し、オーディオ信号がオーディオ符号器８０４に入力し、リモコンコードを組み合わせた信号がコード符号器８０５に入力する。ビデオ符号器８０３、オーディオ符号器８０４及びコード符号器８０５は、それぞれ連携を保ちながら、個別に入力信号を圧縮符号化する。符号化されたビデオビットストリームは、バッファメモリ８０６に逐次蓄積され、同様にオーディオビットストリーム及びコードビットストリームもそれぞれバッファメモリ８０７，８０８に逐次蓄積される。
【００５３】
多重化部８０９は、バッファメモリ８０６，８０７，８０８に蓄積された各ビットストリームを分析し、スケジューリング処理を施しながらビデオ、オーディオ及びリモコンコードを時分割多重し、多重ビットストリームを生成する。尚、多重化方法の詳細は、本発明の主旨ではないので、説明を省略する。
【００５４】
携帯情報端末１０１は、コンテンツデータを受信すると（Ｓ７１４）、多重されたコンテンツデータとリモコンデータを分離し、コンテンツデータの復号処理を開始する（Ｓ７１５）。多重されていたリモコンコードは記憶部６０５に格納され（Ｓ７１６）、映像データ及び音声データは再生される（Ｓ７１７）。
【００５５】
リモコンコードの詳細を説明する。リモコンコードは、アスキーコード（２０ｈ〜７Ｅｈの半角コード）を使用し、動作モードを決定するメインコマンドと詳細を決定するサブコマンドからなる。
【００５６】
メインコマンドは、送信データの先頭（送信ヘッダがある場合にはその次の文字）に無ければ、送信デミリタまで無視される。即ち、送信ヘッダが付加されていない場合、送信デミリタの次に現れる文字が、メインコマンドとして解釈される。
【００５７】
サブコマンドは、送信デミリタが現れるまでに何回現れても認識される。サブコマンドとこれに続くサブコマンドは、コマンドパーティション（カンマ；２Ｃｈ）で区切られ、サブコマンドに与える値は、コマンドバリューマーク（コロン；３Ａｈ）により区切られる。
【００５８】
以上を纏めると、リモコンコードのデータフォーマットは［コマンド：値，コマンド：値，コマンド：値，，，，］＋送信デミリタと表すことができる。
【００５９】
また、リモコンコードには、メーカ情報と、メーカ毎に異なる制御コード長等を示すフォーマットメーカ名と、機種を特定する為のカスタムコードとが含まれる。フォーマットメーカ名とカスタムコードにより、赤外線通信する際のリモコンコードのキャリア（搬送波）周波数が決定される。
【００６０】
図１５及び図１６を参照して、リモコンコードの組み合わせデータ作成例を説明する。図１５は、データ送受信装置１０２の表示画面９０１で、蓄積コンテンツのリスト表示９０２を行っている状態を示す。通常、ユーザは、視聴したい番組を表示画面９０１から選択することになる。９０３はコンテンツのＩＤを示し、データ送受信装置１０２により蓄積コンテンツ毎に割り当てられる。９０４は録画日時を示し、ユーザは録画時間情報をもとにコンテンツの検索できる。９０５はコンテンツ名称を表し、ユーザはコンテンツの名称からもコンテンツを選択できる。
【００６１】
ユーザが外出時にコンテンツＩＤ「４」の番組を視聴していたとする。そして、視聴を中断して帰宅した後にその番組を再生するまでの手順は、デジタルテレビ受信装置の「電源オン」→「メニューの表示」→「コンテンツリスト表示選択」→「カーソルを下方向に移動」×３→「決定」→「再生操作」であるとする。この時、視聴を中断していた位置から再生するには、上記と同様の操作に加え、「再生操作」の前に、中断していた位置の「頭出し」を行う必要がある。データ送受信装置１０２は、携帯情報端末１０１にコンテンツを送信する際に、この手順を踏まえたリモコンコードの組み合わせデータを作成し、送信する。
【００６２】
図１６に示すリモコンコード作成手順に拠れば、以上の操作におけるリモコンコードの組み合わせデータは、送信ヘッダ（Ｓ１００１）の後に、フォーマットメーカ名を付加し（Ｓ１００２）、続けてカスタムコードを付加し（Ｓ１００３）、その後に「電源オン」のデータコード、リモコンコード出力フレーム数及び送信デミリタを付加する。さらに、前記送信デミリタに続き、「メニュー表示」のデータコード、送信フレーム数、送信デミリタ、「コンテンツリスト表示」のデータコード、送信フレーム数、送信デミリタ、「カーソルを下方向に移動」のデータコード、送信フレーム数、送信デミリタ、・・・、「決定」のデータコード、送信フレーム、送信デミリタ、「中断した位置の頭出し」のデータコード、送信フレーム、送信デミリタ、「再生」のデータコード、送信フレーム数及び送信デミリタを付加する（Ｓ１００４〜Ｓ１００７）。具体的には、
送信ヘッダ（コード開始情報）：ＳＴＸ（０２ｈ）
コマンドリスト
−メインコマンド：“Ｔ”リモコン信号出力モード（サブコマンド有り）、“Ｃ”コマンド連続モード（サブコマンド無し）
−−サブコマンド：“ｍ”メーカ識別番号、“ｃ”カスタムコード（機種情報）、“ｄ”データコード、“ｆ”リモコンコードの出力実行フレーム数
フォーマットメーカ名：“ＡＢＣＤ２０”または“０１”
カスタムコード（機種コード）：Ａ１８４ｈ
データコード：１５ｈ（電源オン）、２１ｈ（メニュー表示）、２５ｈ（コンテンツリスト表示）、３２ｈ（カーソル下移動）、８Ｂｈ（中断時の頭出し）、１Ａｈ（決定）、５１ｈ（再生指示）
出力フレーム数：３回（出力実行）
送信デミリタ：ＣＲＬＦ（０Ｄ、０Ａｈ）
となり、上記リモコンコードの組み合わせデータは、
“［｛ＳＴＸ，Ｔｍ：０１，ｃ：Ａ１８４，ｄ：１５，ｆ：０３｝＋ＣＲＬＦ＋｛Ｃ，ｄ：２１，ｆ：０３｝＋ＣＲＬＦ＋｛Ｃ，ｄ：２５，ｆ：０３｝＋ＣＲＬＦ＋｛Ｃ，ｄ：３２，ｆ：０３｝＋ＣＲＬＦ＋｛Ｃ，ｄ：３２，ｆ：０３｝＋ＣＲＬＦ＋｛Ｃ，ｄ：３２，ｆ：０３｝＋ＣＲＬＦ＋｛Ｃ，ｄ：１Ａ，ｆ：０３｝＋ＣＲＬＦ＋｛Ｃ，ｄ：８Ｂ，ｆ：０３｝＋ＣＲＬＦ＋｛Ｃ，ｄ：５１，ｆ：０３｝＋ＣＲＬＦ］”
となる。
【００６３】
ここで、中断時の頭出し位置情報は、時間情報又はチャプター情報等により決定される。中断時の頭出し位置情報は、データ送受信装置１０２が記憶していても良いし、通常のメニュー画面からチャプター情報によって番組再生操作を行うのと同じように「チャプター情報表示」→「チャプター選択」→「再生」として、上記のリモコンコードの組み合わせデータと同様にして処理することも可能である。
【００６４】
図１７は、蓄積コンテンツの視聴を中断して帰宅した後に、携帯情報端末１０１に蓄積していたリモコンコードデータを使って、同一コンテンツをデータ送受信装置１０２で再び再生する場合の処理手順を示す。
【００６５】
ユーザが、携帯情報端末１０１に表示されるメニュー画面で、中断した番組の再生指示の操作を行うと、携帯情報端末１０１は、記憶部６０５から前述のリモコンコードを読み出す（Ｓ１１０１）。
【００６６】
携帯情報端末１０１は、読み出したリモコンコードの最初の送信デミリタまでの情報から得られるフォーマットメーカ名からリモコンコードのフォーマットを解析し（Ｓ１１０２）、カスタムコードによる機種依存情報を解析し（Ｓ１１０３）、赤外通信時のキャアー周波数を決定する。キャリア周波数が決定すると、リモコンコードを赤外通信用に周波数変調し（Ｓ１１０４）、赤外線通信部５０８からデータ送受信装置１０２に送信する（Ｓ１１０５）。
【００６７】
リモコンコード送信の際には、携帯情報端末１０１の制御部６０１は、送信デミリタと次のコマンド間に停止期間を挟むように処理する（Ｓ１１０７）。この停止期間は、データ送受信装置１０２の機能又は応答速度によって決定されるものであり、データ送受信装置１０２がリモコンコードの受信後に次のリモコンコードを受信できるようになるまでに必要な時間を考慮して決定される。具体的には、停止期間の長さは、受信したリモコンコードに含まれるカスタムコードからデータ送受信装置１０２の機種依存情報により決定される。例えば、上記例の機種コードＡ１８４ｈに使用されるリモコンの信号１フレーム当たりの出力時間を１３０（ｍｓｅｃ）とすると、一般的に機器が動作するには２〜３フレーム、繰り返し出力する必要があるので、動作設定まで含めると、４５０（ｍｓｅｃ）〜５００（ｍｓｅｃ）以上の停止期間が必要になる。
【００６８】
以上の処理により、複数のリモコンコードを携帯情報端末１０１からデータ送受信装置１０２に断続的に送信する。
【００６９】
一方、データ送受信装置１０２は、リモコンコードを受信すると（Ｓ１１０８）、そのリモコンコードに従って動作を設定する（Ｓ１１０９）。上記例に拠れば、リモコンコード受信毎に、「電源オン」→「メニュー表示」→「コンテンツリスト表示」→「カーソルを下方向に移動」×３→「決定」→「中断した位置の頭出し」→「再生操作」が実行される。データ送受信装置１０２は、再生指示に従い（Ｓ１１１０）、中断位置から番組の再生を開始する（Ｓ１１１１）。
【００７０】
図１８、図１９及び図２０は、以上の動作のアクティビティ図を示す。ユーザは、外出先から帰宅後、携帯情報端末１０１のメニューボタンを押下し、中断していた番組の視聴開始を選択する。Ｓ１２０２の操作によって、携帯情報端末１０１は、前述の如く、リモコンコードを断続的に送信する。これは、ユーザにより、Ｓ４０１〜Ｓ４１９の操作が行われることと同じことである。Ｓ４０１〜Ｓ４１９の操作が完了すると、ユーザは視聴を開始できる。
【００７１】
本実施例によれば、ユーザは、携帯情報端末１０１から直接、データ送受信装置１０２の操作が可能となり、また、「メニュー表示」、「コンテンツ選択」及び「再生位置選択」といった多くのキー操作を行うこと無しに、少ない簡単なキー操作で、視聴を中断していたコンテンツを途中再生できる。
【００７２】
リモコンコードは、データ送受信装置１０２の持つ機能を組み合わせたコードであるので、データ送受信装置１０２の複数の設定を一度の要求で行うことが可能である。また、前述した機能に限らず、異なるデータ送受信装置の持つ固有の機能を利用することが可能である。
【００７３】
データ送受信装置１０２から蓄積コンテンツを送信する際には、データ送受信装置１０２のメーカ識別等の情報を含むリモコンコードを多重する。これにより、ユーザが赤外通信等を用いて携帯情報端末１０１からデータ送受信装置１０２を操作する際には、予めリモコンコードを登録すること無しに操作が可能となる。
【００７４】
携帯情報端末１０１はリモコンコードの組み合わせデータを複数蓄積することが可能である。利用したいデータ送受信装置を携帯情報端末１０１の表示部に表示される選択メニューから選択するだけで、操作が可能になる。
【００７５】
本実施例では、蓄積コンテンツの送信時に、常にリモコンコードの組み合わせデータを多重して送信するとしたが、多重せずに蓄積コンテンツ送信と同時に送信してもよい。また、一定時間間隔で、蓄積コンテンツにリモコンコードの組み合わせデータを多重送信してもよい。
【００７６】
ＤＶＤメディア等から再生している場合には、常にリモコンコードの組み合わせデータを多重するのではなく、予め登録されているチャプター情報等を使用し、チャプターの切り替わり時にリモコンコードの組み合わせデータを作成して、蓄積コンテンツと共に送信してもよい。
【００７７】
受信したリモコンコードをデータ送受信装置に送信する手段として、携帯情報端末の備える赤外線通信部を利用したが、ＢｌｕｅＴｏｏｔｈなどの無線通信、又は、ＩＥＥＥ１３９４等の有線データ送信を使用できる。
【００７８】
リモコンコードを多重すると説明したが、リモコンコードに限らず、データ送受信装置の機能を制御可能な他の制御コードであっても構わない。
【実施例２】
【００７９】
本発明の第２実施例を説明する。第２実施例は、第１実施例におけるデータ送受信装置とは異なる構成を持ち、リモコンコードの組み合わせデータをデータ送受信装置により管理することで、更に利便性を高めるものである。第１実施例と同様の構成及び同様の動作を行うものには、同じ符号を付記してある。第１実施例との相違部分を主に説明する。
【００８０】
図２１は、第２実施例の概略構成ブロック図を示す。携帯情報端末１３０１は、ネットワーク１００を介してデータ送受信装置１３０２と接続する。データ送受信装置１３０２は、第１の実施例における構成要素にコード管理部１３０４を加え、制御部１３０３がデータ送受信装置１３０２を構成する各部を統合的に制御する。
【００８１】
コード管理部１３０４は、コード作成部１１０により作成されたリモコンコードの組み合わせデータに対して、使用されていないリモコンのコード番号又は予約されたコード番号を付与することによって、リモコンコードの操作情報を管理する。ここで、使用されていないか又は予約されたコード番号とは、データ送受信装置１３０２を制御するために準備したものであるが、実際に制御機能を割り当てていないコード番号を指している。
【００８２】
図２２は、携帯情報端末１３０１の概略構成ブロック図を示す。携帯情報端末１３０１は、携帯情報端末１０１と同じ構成からなるが、制御部１４０１は、制御部６０１とは異なるデータ処理を行う。
【００８３】
携帯情報端末１３０１からネットワークを介してデータ送受信装置１３０２に、データ送受信装置１３０２に蓄積しているコンテンツのリスト情報を要求したとする。これは第１実施例におけるＳ７０１（図１３）に相当する。
【００８４】
この要求を受け付けたデータ送受信装置１３０２は、要求に従い、蓄積しているコンテンツのリスト情報を作成し、携帯情報端末１３０１に送信する（図１３のＳ７０２）。コンテンツリスト情報を受信した携帯情報端末１３０１は、コンテンツリスト情報を解析し、その内容を表示部５０６に表示する。ユーザは、表示部５０６に表示されたコンテンツリストから十字キー５０３を使用して希望のコンテンツを選択する。ユーザがコンテンツを決定すると、携帯情報端末１３０１はデータ送受信装置１３０２にコンテンツの送信要求を送信する（図１３のＳ７０５、Ｓ７０６）。また、携帯情報端末１３０１は、データ送受信装置９０２にコンテンツの送信を要求する際には、第１実施例と同様に、コンテンツ情報に加え、携帯情報端末１３０１の通信方法とハードウェアリソース情報を付加する。
【００８５】
データ送受信装置１３０２は、コンテンツ送信要求を受信すると（図１３のＳ７０７）、指定された蓄積コンテンツを選択し（図１３のＳ７０８）、復号処理を行う（図１３のＳ７０９）。続けて、コード作成部１１０は、現在、再生中の位置情報を含むリモコンコードの組み合わせデータを作成し（図１３のＳ７１０）、コード管理部１３０４は、このリモコンコードの組み合わせデータに対して、使用されていないか又は予約されたコード番号を割り当てる。
【００８６】
以上により、リモコンコードの組み合わせデータは、新たに割り当てられたひとつのコード番号で代表される。
【００８７】
そして、復号されたコンテンツデータと新たに割り当てられたコード番号が符号化される（図１３のＳ７１１）。ここでの符号化処理は、第１実施例と同様である。そして、データ送受信装置１３０２は、再符号化されたコンテンツデータと新たに割り当てられたリモコンコード番号を多重化し（図１３のＳ７１２）、ネットワークを介して携帯情報端末１３０１に送信する（図１３のＳ７１３）。
【００８８】
携帯情報端末１３０１は、コンテンツデータを受信すると（図１３のＳ７１４）、多重されたコンテンツデータとリモコンコードを分離し、コンテンツデータを復号する（図１３のＳ７１５）。多重されていたリモコンコードは、記憶部６０５に蓄積される（図１３のＳ７１６）。映像データ及び音声データは再生される（図１３のＳ７１７）。
【００８９】
図２３は、本実施例におけるリモコンコードの組み合わせデータの作成手順を示す。リモコンコード組み合わせデータ作成例として、第１実施例と同じであるとする。すなわち、視聴を中断した番組を再生する状況であって、再生方法として、「電源オン」→「メニュー表示」→「コンテンツリスト表示」→「カーソルを下方向に移動」×３→「決定」→「中断した位置の頭出し」→「再生操作」の手順が必要であるとする。
【００９０】
この時、上記操作におけるリモコンコードの組み合わせデータは、送信ヘッダの後にフォーマットメーカ名を付加し、続けてカスタムコード、「電源オン」のデータコード、リモコンコード出力フレーム数及び送信デミリタを付加する。さらに、送信デミリタに続き、「メニュー表示」のデータコード、送信フレーム数、送信デミリタ、「コンテンツリスト表示」のデータコード、送信フレーム数、送信デミリタ、「カーソルを下方向に移動」のデータコード、送信フレーム数、送信デミリタ、・・・、「決定」のデータコード、送信フレーム、送信デミリタ、「中断した位置の頭出し」のデータコード、送信フレーム、送信デミリタ、「再生」のデータコード、送信フレーム数及び送信デミリタをこの順に付加する（Ｓ１５０１〜Ｓ１５０７）。
【００９１】
第２実施例の特徴として、制御部１３０３は、前述した手順により作成したリモコンコードの組み合わせデータをデータ送受信装置１３０２で未使用又は予約されたコード番号に割り当てる（Ｓ１５０８）。具体的には、
送信ヘッダ（コード開始情報）：ＳＴＸ（０２ｈ）
コマンドリスト
−メインコマンド：“Ｔ”リモコン信号出力モード（サブコマンド有り）、“Ｃ”コマンド連続モード（サブコマンド無し）
−−サブコマンド：“ｍ”メーカ識別番号、“ｃ”カスタムコード（機種情報）、“ｄ”データコード、“ｆ”リモコンコードの出力実行フレーム数
フォーマットメーカ名：“ＡＢＣＤ２０”または“０１”
カスタムコード（機種コード）：Ａ１８４ｈ
データコード：１５ｈ（電源オン）、２１ｈ（メニュー表示）、２５ｈ（コンテンツリスト表示）、３２ｈ（カーソル下移動）、８Ｂｈ（中断時の頭出し）、１Ａｈ（決定）、５１ｈ（再生指示）
制御コード：９９ｈ（予約）
出力フレーム数：３回（出力実行）
送信デミリタ：ＣＲＬＦ（０Ｄ、０Ａｈ）
とすると、図２３のＳ１５０１からＳ１５０７により作成されるリモコンコードの組み合わせデータは、
”［｛ＳＴＸ，Ｔｍ：０１，ｃ：Ａ１８４，ｄ：１５，ｆ：０３｝＋ＣＲＬＦ＋｛Ｃ，ｄ：２１，ｆ：０３｝＋ＣＲＬＦ＋｛Ｃ，ｄ：２５，ｆ：０３｝＋ＣＲＬＦ＋｛Ｃ，ｄ：３２，ｆ：０３｝＋ＣＲＬＦ＋｛Ｃ，ｄ：３２，ｆ：０３｝＋ＣＲＬＦ＋｛Ｃ，ｄ：３２，ｆ：０３｝＋ＣＲＬＦ＋｛Ｃ，ｄ：１Ａ，ｆ：０３｝＋ＣＲＬＦ＋｛Ｃ，ｄ：８Ｂ，ｆ：０３｝＋ＣＲＬＦ＋｛Ｃ，ｄ：５１，ｆ：０３｝＋ＣＲＬＦ］”
となる。
【００９２】
そして、Ｓ１５０８の操作でこのリモコンコードの組み合わせデータを予約コード番号（以下、制御コードという）に割り当てることにより最終的に作成されるリモコンコードは、
”［｛ＳＴＸ，Ｔｍ：０１，ｃ：Ａ１８４，ｄ：９９，ｆ：０３｝＋ＣＲＬＦ］”
となる（Ｓ１５０９〜Ｓ１５１４）。
【００９３】
図２４は、携帯情報端末１３０１による蓄積コンテンツの視聴を中断した後、再度、同一コンテンツをデータ送受信装置１３０２で再生する場合の処理手順を示す。
【００９４】
まず、ユーザが、携帯情報端末１３０１に表示されるメニュー画面で中断した番組の再生指示の操作をすると、携帯情報端末１３０１は、記憶部６０５から上述のリモコンコードを取得する（Ｓ１６０１）。携帯情報端末１３０１は、取得したリモコンコードから得られるフォーマットメーカ名及びカスタムコード情報に基づいて周波数変調を行い（Ｓ１６０２〜Ｓ１６０４）、周波数変調されたリモコンコードを赤外線通信部５０８からデータ送受信装置１３０２に向けて送信する（Ｓ１６０５）。
【００９５】
データ送受信装置１３０２は、リモコンコードを受信すると（Ｓ１６０６）、受信したリモコンコードを解析する（Ｓ１６０７）。上記例に拠れば、制御コード“９９”はデータ送受信装置１３０２において「電源オン」→「メニュー表示」→「コンテンツリスト表示」→「カーソルを下方向に移動」×３→「決定」→「中断した位置の頭出し」→「再生操作」の操作に割り当てられている。データ送受信装置１３０２は、制御コードの示す一連の動作設定処理を行った後（Ｓ１６０８）、中断位置から番組の再生を開始する（Ｓ１６０９）。
【００９６】
本実施例によれば、データ送受信装置１３０２は、リモコンコードの組み合わせデータを制御コード（未使用又は予約コード）に割り当てて管理し、第１実施例と同様に蓄積コンテンツに多重して送信する。制御コードの多重された蓄積コンテンツを受信した携帯情報端末は、制御コードを分離して蓄積する。この制御コードは、一般的なリモコンコードと同様のフォーマットであるので、携帯情報端末１３０１は、特別な処理を施すことなく、赤外通信を使用して送信でき、第１実施例と同様の効果を生むことが可能となる。
【実施例３】
【００９７】
本発明の第３実施例を説明する。第１及び第２実施例とは異なる点を主に説明する。第１及び第２実施例の構成要素と同様に動作する構成要素には、同じ符号を付してある。
【００９８】
図２５は、第３実施例の概略構成ブロック図を示す。携帯情報端末１７０１は、ネットワーク１００を介してデータ送受信装置１７０２と接続する。データ送受信装置１７０２は、制御部１７０３及びコード作成部１７０４の動作を除いて、データ送受信装１０２と同様の構成からなる。コード作成部１７０４は、リモコンコードの組み合わせデータに加え、送信先の周波数情報をリモコンコードの先頭にヘッダ情報として付加する機能を有する。
【００９９】
図２６は、携帯情報端末１７０１の概略構成ブロック図を示す。携帯情報端末１７０１は、制御部１８０１及び解析部１８０２を除いて、携帯情報端末１３０１と同じ構成から成る。
【０１００】
携帯情報端末１７０１からネットワークを介してデータ送受信装置１７０２に、データ送受信装置１７０２に蓄積してあるコンテンツのリスト情報を要求したとする（図１３のＳ７０１）。この要求を受け付けたデータ送受信装置１７０２は、要求に従い、蓄積しているコンテンツのリスト情報を作成し、携帯情報端末１７０１に送信する（図１３のＳ７０２、７０３）。
【０１０１】
コンテンツリスト情報を受信した携帯情報端末１７０１は、受信したコンテンツリスト情報を解析し、その内容を表示部５０６に表示する。ユーザは、表示部５０６に表示されたコンテンツリストから十字キー５０３を操作して希望のコンテンツを選択する。ユーザによりコンテンツが決定されると、携帯情報端末１７０１は、データ送受信装置１７０２にコンテンツ送信要求を送信する（図１３のＳ７０６）。コンテンツ送信要求は、希望のコンテンツを特定する情報に加え、携帯情報端末１７０１の通信方法及びハードウェアリソース情報を含む。
【０１０２】
コンテンツ送信要求を受け付けたデータ送受信装置１７０２は、指定された蓄積コンテンツを復号する（図１３のＳ７０９）。続けて、コード作成部１７０４は、携帯情報端末１７０１がデータ送受信装置１７０２と赤外線通信する際に使用する周波数情報と、現在、再生中の位置情報を含むリモコンコードデータを作成する。リモコンコードデータの作成方法と内容の詳細は、後述する。
【０１０３】
復号されたコンテンツデータと、周波数情報をヘッダに持つリモコンコードデータを符号化する（図１３のＳ７１１）。このように符号化されたコンテンツデータとリモコンコードデータを多重化し（図１３のＳ７１２）、ネットワークを介して携帯情報端末１７０１に送信する（図１３のＳ７１３）。
【０１０４】
コンテンツデータを受信した携帯情報端末１７０１は、多重されたコンテンツデータとリモコンコードデータを分離し、コンテンツデータの復号処理を開始する（図１３のＳ７１４、Ｓ７１５）。多重されていたリモコンコードデータは、記憶部６０５に蓄積される（図１３のＳ７１６）。映像データと音声データは再生される（図１３のＳ７１７）。
【０１０５】
図２７は、本実施例におけるリモコンコードデータの作成手順を示す。リモコンコード作成例として、第１実施例と同様の状況を想定する。すなわち、視聴を中断した番組を再生する状況で、再生方法として、「電源オン」→「メニュー表示」→「コンテンツリスト表示」→「カーソルを下方向に移動」×３→「決定」→「中断した位置の頭出し」→「再生操作」の手順が必要であるとする。
【０１０６】
この時、上記操作に対するリモコンコードの組み合わせデータは、送信ヘッダの後にフォーマットメーカ名を付加し、続けてカスタムコード、「電源オン」のデータコード、リモコンコード出力フレーム数、送信デミリタを付加する。さらに、送信デミリタに続き、「メニュー表示」のデータコード、送信フレーム数、送信デミリタ、「コンテンツリスト表示」のデータコード、送信フレーム数、送信デミリタ、「カーソルを下方向に移動」のデータコード、送信フレーム数、送信デミリタ、・・・、「決定」のデータコード、送信フレーム、送信デミリタ、「中断した位置の頭出し」のデータコード、送信フレーム、送信デミリタ、「再生」のデータコード、送信フレーム数及び送信デミリタがこの順に付加される（Ｓ１９０１〜Ｓ１９０６）。
【０１０７】
本実施例によれば、制御部１７０３は、前述した手順により作成したリモコンコードの組み合わせデータをデータ送受信装置１７０２で未使用の制御コードに割り当てる（Ｓ１９０７）。具体的には、
送信ヘッダ（コード開始情報）：ＳＴＸ（０２ｈ）
コマンドリスト
−メインコマンド：“Ｔ”リモコン信号出力モード（サブコマンド有り）、“Ｃ”コマンド連続モード（サブコマンド無し）、“Ｆ”周波数情報（サブコマンド無し）
−−サブコマンド：“ｍ”メーカ識別番号、“ｃ”カスタムコード（機種情報）、“ｄ”データコード、“ｆ”リモコンコードの出力実行フレーム数
フォーマットメーカ名：“ＡＢＣＤＣ２０”または“０１”
カスタムコード（機種コード）：Ａ１８４ｈ
データコード：１５ｈ（電源オン）、２１ｈ（メニュー表示）、２５ｈ（コンテンツリスト表示）、３２ｈ（カーソル下移動）、８Ｂｈ（中断時の頭出し）、１Ａｈ（決定）、５１ｈ（再生指示）
制御コード：９９ｈ（予約）
出力フレーム数：３回（出力実行）
送信デミリタ：ＣＲＬＦ（０Ｄ、０Ａｈ）
とすると、図２７のＳ１９０１からＳ１９０６により作成されるリモコンコードの組み合わせデータは、”［｛ＳＴＸ，Ｔｍ：０１，ｃ：Ａ１８４，ｄ：１５，ｆ：０３｝＋ＣＲＬＦ＋｛Ｃ，ｄ：２１，ｆ：０３｝＋ＣＲＬＦ＋｛Ｃ，ｄ：２５，ｆ：０３｝＋ＣＲＬＦ＋｛Ｃ，ｄ：３２，ｆ：０３｝＋ＣＲＬＦ＋｛Ｃ，ｄ：３２，ｆ：０３｝＋ＣＲＬＦ＋｛Ｃ，ｄ：３２，ｆ：０３｝＋ＣＲＬＦ＋｛Ｃ，ｄ：１Ａ，ｆ：０３｝＋ＣＲＬＦ＋｛Ｃ，ｄ：８Ｂ，ｆ：０３｝＋ＣＲＬＦ＋｛Ｃ，ｄ：５１，ｆ：０３｝＋ＣＲＬＦ］”となる。
【０１０８】
そして、Ｓ１９０７の操作により、上記リモコンコードの組み合わせデータを、予約された制御コードに割り当てることにより、リモコンコードは、“［｛ＳＴＸ，Ｔｍ：０１，ｃ：Ａ１８４，ｄ：９９，ｆ：０３｝＋ＣＲＬＦ］”となる。
【０１０９】
次に、制御部１７０３は、赤外線通信を行う際に使用するキャリアの周波数情報を付加し（Ｓ１９０８）、続けて、出力フレーム数、送信デミリタ、フォーマットメーカ名、カスタムコード、制御コード、出力フレーム数及び送信デミリタをこの順で付加して、リモコンコードの組み合わせデータを作成する（Ｓ１９０９〜Ｓ１９１５）。
【０１１０】
具体的には、例えばキャリアを３８．８（ｋＨｚ）とすると、”［００３８８０＋｛ＳＴＸ，Ｔｍ：０１，ｃ：Ａ１８４，ｄ：９９，ｆ：０３｝＋ＣＲＬＦ］”となり、リモコンコードデータは、蓄積コンテンツと多重されて、データ送受信装置１７０２から携帯情報端末１７０１に送信される。
【０１１１】
図２８は、携帯情報端末１７０１による蓄積コンテンツの視聴を中断した後、再度、同一コンテンツをデータ送受信装置１７０２で再生する場合の処理手順を示す。
【０１１２】
まず、ユーザが、携帯情報端末１７０１に表示されるメニュー画面で中断した番組の再生指示の操作を行うと、携帯情報端末１７０１は、記憶部６０５からリモコンコードを読み出す（Ｓ２００１）。
【０１１３】
携帯情報端末１７０１は、記憶部６０５から読み出したリモコンコードの先頭から得られる周波数情報を解析し（Ｓ２００２）、その結果に基づいて周波数変調して（Ｓ２００３）、赤外線通信部５０８からデータ送受信装置１７０２にリモコンコードを送信する（Ｓ２００４）。
【０１１４】
データ送受信装置１７０２は、リモコンコードを受信すると（Ｓ２００５）、受信したリモコンコードを解析する（Ｓ２００６）。上記例によれば、制御コード“９９”は、「電源オン」→「メニュー表示」→「コンテンツリスト表示」→「カーソルを下方向に移動」×３→「決定」→「中断した位置の頭出し」→「再生操作」に割り当てられている。データ送受信装置１７０２は、制御コードの示す一連の動作設定処理を行った後（Ｓ２００７）、中断位置から番組の再生を開始する（Ｓ２００８）。
【０１１５】
本実施例によれば、データ送受信装置１７０２から携帯情報端末１７０１に蓄積コンテンツデータを送信する際に、多重するリモコンコードの先頭に周波数情報を直接付加することにより、携帯情報端末１７０１は、カスタムコード情報を解析すること無しに、リモコンコードを赤外送信することが可能となる。
【０１１６】
本実施例によれば、赤外通信時のキャリア周波数が携帯情報端末間及びデータ送受信装置間で異なるものとして説明したが、特に両者間で規定された周波数帯、及びフォーマットであれば、送信するリモコンコードの組み合わせデータの先頭に周波数情報を付加しなくても良い。即ち、データ送受信装置は、（フォーマットメーカ名、カスタムコード、制御コード、送信デミリタ）を送信し、携帯情報端末は、何ら解析を行わずに、赤外通信部からデータ送受信装置に向けてリモコンコードを送信することが可能となる。
【図面の簡単な説明】
【０１１７】
【図１】本発明の第１実施例の概略構成ブロック図である。
【図２】テレビ受信装置の一般的なリモコン装置の正面図である。
【図３】従来のテレビ受信装置の画面例である。
【図４】従来のテレビ受信装置の画面例である。
【図５】従来のテレビ受信装置の画面例である。
【図６】従来のテレビ受信装置の画面例である。
【図７】従来のテレビ受信装置の画面例である。
【図８】従来のテレビ受信装置の画面例である。
【図９】従来のテレビ受信装置の操作手順例の一部である。
【図１０】従来のテレビ受信装置の操作手順例の残りである。
【図１１】携帯情報端末１０１の一例としての携帯電話の外観図
【図１２】携帯情報端末１０１の概略構成ブロック図である。
【図１３】データ送受信装置１０２に蓄積してあるコンテンツをネットワーク１００を介して携帯情報端末１０１で視聴し、中断するまでの動作の手順を示す図である。
【図１４】符号化処理部１１１の概略構成ブロック図である。
【図１５】データ送受信装置１０２の表示画面９０１で、蓄積コンテンツのリスト表示９０２を行っている状態を示す図である。
【図１６】リモコンコード作成手順である。
【図１７】蓄積コンテンツの視聴を中断して帰宅した後に、携帯情報端末１０１に蓄積していたリモコンコードデータを使って、同一コンテンツをデータ送受信装置１０２で再生する場合の処理手順を示す図である。
【図１８】第１実施例のユーザ、携帯情報端末１０１及びデータ送受信装置１０２間の動作の一部を示す図である。
【図１９】第１実施例のユーザ、携帯情報端末１０１及びデータ送受信装置１０２間の動作の一部を示す図である。
【図２０】第１実施例のユーザ、携帯情報端末１０１及びデータ送受信装置１０２間の動作の残りを示す図である。
【図２１】第２実施例の概略構成ブロック図である。
【図２２】携帯情報端末１３０１の概略構成ブロック図である。
【図２３】第２実施例におけるリモコンコードの組み合わせデータの作成手順を示す図である。
【図２４】携帯情報端末１３０１による蓄積コンテンツの視聴を中断した後、再度、同一コンテンツをデータ送受信装置１３０２で再生する場合の処理手順を示す図である。
【図２５】第３実施例の概略構成ブロック図である。
【図２６】携帯情報端末１７０１の概略構成ブロック図である。
【図２７】第３実施例におけるリモコンコードデータの作成手順を示す図である。
【図２８】は携帯情報端末１７０１による蓄積コンテンツの視聴を中断した後、再度、同一コンテンツをデータ送受信装置１７０２で再生する場合の処理手順を示す図である。
【符号の説明】
【０１１８】
１００：ネットワーク
１０１：携帯情報端末
１０２：データ送受信装置
１０３：制御部
１０４：受信部
１０５：分離部
１０６：映像デコーダ
１０７：音声デコーダ
１０８：復号処理部
１０９：蓄積部
１１０：コード作成部
１１１：符号化処理部
１１２：通信部
１１３：受光部
１１４：映像制御部
１１５：音声制御部
１１６：画像出力部
１１７：音声出力部
２０１：電源ボタン
２０２：メニューボタン
２０３：十字ボタン
２０４：決定キー
２０５：数字キー
５０１：電源キー
５０２：メニューボタン
５０３：十字キー
５０４：操作キー
５０５：アンテナ
５０６：表示部
５０７：スピーカ
５０８：赤外線通信部
６００：電源回路部
６０１：制御部
６０２：操作制御部
６０３：受信部
６０４：復号処理部
６０５：記憶部
６０６：画像制御部
６０７：音声制御部
８０１：符号化装置
８０２：多重化装置
８０３：ビデオ符号器
８０４：オーディオ符号器
８０５：コード符号器
８０６，８０７，８０８：バッファメモリ
８０９：多重化部
９０１：表示画面
９０２：コンテンツリスト
９０３：コンテンツＩＤ
９０４：録画日時
９０５：コンテンツ名称
１３０１：携帯情報端末
１３０２：データ送受信装置
１３０３：制御部
１３０４：コード管理部
１４０１：制御部
１７０１：携帯情報端末
１７０２：データ送受信装置
１７０３：制御部
１７０４：コード作成部
１８０１：制御部
１８０２：解析部
【図１】
2005176218.tif 000003
【図２】
2005176218.tif 000004
【図３】
2005176218.tif 000005
【図４】
2005176218.tif 000006
【図５】
2005176218.tif 000007
【図６】
2005176218.tif 000008
【図７】
2005176218.tif 000009
【図８】
2005176218.tif 000010
【図９】
2005176218.tif 000011
【図１０】
2005176218.tif 000012
【図１１】
2005176218.tif 000013
【図１２】
2005176218.tif 000014
【図１３】
2005176218.tif 000015
【図１４】
2005176218.tif 000016
【図１５】
2005176218.tif 000017
【図１６】
2005176218.tif 000018
【図１７】
2005176218.tif 000019
【図１８】
2005176218.tif 000020
【図１９】
2005176218.tif 000021
【図２０】
2005176218.tif 000022
【図２１】
2005176218.tif 000023
【図２２】
2005176218.tif 000024
【図２３】
2005176218.tif 000025
【図２４】
2005176218.tif 000026
【図２５】
2005176218.tif 000027
【図２６】
2005176218.tif 000028
【図２７】
2005176218.tif 000029
【図２８】
2005176218.tif 000030